(57)【要約】      （修正有）【課題】車での持ち運びが容易にでき、超低速で回転し、電池とコンセント２つの電源を使い分けしつつ、炭火の火力調節のできる便利で簡単な自動回転丸焼きグリルを提供する。【解決手段】超低速モーター１９とＡＣ／ＤＣ電源を使った駆動部２３で、電源の使い分けとスピードの調整が出来、トグルスイッチ１４の切り替えで正転、反転、停止も選択を出来、火床７を支持脚６の溝でスライドさせて上下に高さを変えることで火力の変化にも対応することが出来る。【選択図】図１
0003203820.tif 000002
【実用新案登録請求の範囲】
【請求項１】
左右に分かれたトッププレートと、ボルトにより前記トッププレートをつなぐ一対の角パイプ製の連結バーとで構成されたベース本体と、前記ベース本体の片方上部に取り付けられた超低速モーターの組み込まれた駆動部と、前記駆動部に着脱可能に取り付けられた串具を両側から受ける串受け部からなる駆動装置と、前記ベース本体の下部に取り付けられた支持脚部と、前記支持脚部の内側の複数の切り欠の任意の段に差し込まれた取手のついた火床トレーと、前記火床トレーの中に置かれた内火床と、前記ベース本体下部に取り付けられた電池ケースから構成される自動回転丸焼きグリル。
【請求項２】
前記駆動装置は前記ベース本体上部に前記駆動部と前記串具が一直線状に並んでおり、前記駆動部の端が４つ脚型の軸受となっており、さらに前記串受け部に係合する前記串具がＴ字型の端部を有することを特徴とする請求項１に記載の自動回転丸焼きグリル。
【請求項３】
前記駆動部は四角い金属製のボックス内部に片面がトグルスイッチと３つのＤＣジャックのついた操作パネルと、反対側の内面に前記超低速モーターが取り付けられており、前記超低速モーターと２つの前記ＤＣジャックが内部で直列に配線されていて、さらに前記６ピントグルスイッチにも正転反転可能に配線されている、前記超低速モーターから出ている回転軸には前記４つ脚の軸受がシャフトジョイントでつながれていることを特徴とする請求項１又は請求項２に記載の自動回転丸焼きグリル。
【考案の詳細な説明】
【技術分野】
【０００１】本考案は肉の塊を電動で回転して丸焼きする自動回転丸焼きグリルに関する。
【背景技術】
【０００２】従来の自動回転丸焼きグリルはケースと、このケースに取り付けられた駆動モーターと、この駆動モーターの駆動力によって回転するように、前記ケースに横架された串具と、この串具の下方に位置するように載説され、かつ串具に刺された食べ物から落ちる油を受ける油受け皿と、この油受け皿の隣に配設された炭火燃焼器具とで構成されている。【０００３】このように構成された自動回転丸焼きグリルは大きいため、車に乗せてキャンプ等で使用するために、気軽に持ち運ぶことが出来づらく、仕様が限定されるという欠点があった。
【先行技術文献】
【特許文献】
【０００４】
【特許文献１】実開昭６４−１１１４９号公報
【考案の概要】
【考案が解決しようとする課題】
【０００５】本考案は以上のような従来の欠点に鑑み、車での持ち運びが容易にでき、超低速で回転し、電池とコンセント２つの電源を使い分けしつつ、炭火の火力調節のできる便利で簡単な自動回転丸焼きグリルを提供することを目的としている。【０００６】本考案の前記ならびにそのほかの目的と新規な特徴は次の説明を添付図面と照らし合わせて読むと、より明らかになるであろう。
ただし、図面はもっぱら解説のためのものであって、本考案の技術的範囲を限定するものではない。
【課題を解決するための手段】
【０００７】上記目的を達成するために、本考案は以下の構成を有する、
（１）左右に分かれたトッププレートと、ボルトにより前記トッププレートをつなぐ一対の角パイプ製の連結バーとで構成されたベース本体と、前記ベース本体の片方上部に取り付けられた超低速モーターの組み込まれた駆動部と、前記駆動部に着脱可能に取り付けられた串具を両側から受ける串受け部からなる駆動装置と、前記ベース本体の下部に取り付けられた支持脚部と、前記支持脚部の内側の複数の切り欠の任意の段に差し込まれた取手のついた火床トレーと、前記火床トレーの中に置かれた内火床と、前記ベース本体下部に取り付けられた電池ケースから構成される自動回転丸焼きグリルである。
（２）前記駆動装置は前記ベース本体上部に前記駆動部と前記串具が一直線状に並んでおり、前記駆動部の端が４つ脚型の軸受となっており、さらに前記串受け部に係合する前記串具がＴ字型の端部を有することを特徴とする（１）に記載の自動回転丸焼きグリルである。
（３）前記駆動部は四角い金属製のボックス内部に片面がトグルスイッチと３つのＤＣジャックのついた操作パネルと、反対側の内面に前記超低速モーターが取り付けられており、前記超低速モーターと２つの前記ＤＣジャックが内部で直列に配線されていて、さらに前記６ピントグルスイッチにも正転反転可能に配線されている、前記超低速モーターから出ている回転軸には前記４つ脚の軸受がシャフトジョイントでつながれていることを特徴とする（１）又は（２）に記載の自動回転丸焼きグリルである。
【考案の効果】
【０００８】以上の説明から明らかなように、本考案にあっては次に列挙する効果が得られる。【０００９】駆動装置はベース本体上部に駆動部と串具が一直線状に並んでおり、駆動部の端が４つ脚型の軸受で、串具の端がＴ字となって繋がっていることで隙間が出来て、超低速モーターとの回転軸にずれがあってもモーターに過剰な負荷がかかりにくく且つ、着脱も容易にできる。【００１０】前記駆動部は四角い金属製のボックス内部に片面がトグルスイッチと３つの前記ＤＣジャックのついた操作パネルと、反対側の内面に前記超低速モーターが取り付けられており、前記超低速モーターと３つのうち２つの前記ＤＣジャックが内部で直列に配線されていて、さらに前記６ピントグルスイッチにも正反で配線されていて、前記超低速モーターから出ている回転軸には前記４つ脚の軸受がシャフトジョイントでつながれていることを特徴としており、２つの前記ＤＣジャックにＡＣアダプターやベース本体下部に取り付けられた電池ケース又は、１つの前記ＤＣジャックに準備された短絡プラグを差し、切替えることで、コンセントからと電池から２電源の使い分けができ、差し込む組み合わせを変えることで回転スピードも選択でき、６ピントグルスイッチで正転反転及び停止を切り替えることで、回転中に肉を切り取り易くできる。【００１１】支持脚部の内側の複数の切り欠の任意の段に差し込まれた取手のついた火床トレー及び焼き網を差し替えることで、炭火の火加減に合わせた火力の調整が出来るとともに、丸焼きと通常の網焼きを両方一度にできる。【００１２】串具は丸棒の片方がＴ字型もう片方は先端の尖った串本体に、串本体丸棒の太さの穴があり横に２本のＬ字型で先端の尖った丸棒があり、外周に取りつけられた蝶型ネジで肉を回転不能にする肉固定爪部とから構成されており、前記肉固定爪をスライドすることで肉の大きさに合わせて任意の位置で固定することができる。【００１３】火床トレーの中に置かれた内火床で、火床トレーの過熱とベース本体や脚部、駆動装置への過熱も防ぐことができる。【００１４】ベース本体と支持脚部はボルトでつながっていて、火床トレーは差し込み式なので、持ち運び時にはすべて分解して運べ、コンパクトに収納もできる。
【図面の簡単な説明】
【００１５】
【図１】本考案を実施するための形態の斜投影図
【図２】本考案を実施するための形態の正面図
【図３】本考案を実施するための形態の火床トレーの平面図
【図４】本考案を実施するための形態の火床内トレーの平面図
【図５】串具と駆動部との接続形態の図
【考案を実施するための形態】
【００１６】以下、図面に示す本考案を実施するための最良の形態により、本考案を詳細に説明する。
【００１７】図１及び図５に示す駆動装置２４はベース本体２２上部に駆動部２３と串具２１が一直線状に並んでおり、駆動部２３の端が４つ脚型の軸受２０で、串具２１の端がＴ字となって繋がっていることで隙間が出来て、超低速モーター１９との回転軸にずれがあってもモーターに過剰な負荷がかかりにくく且つ、着脱も容易にできる。
【００１８】図２に示す火床７はベース本体２２の下部両側にある支持脚６に設けられた切り欠の任意の段に取手１１を持ってスライドして移動出来ることで、炭火の火力に対して串具２１との距離を変化させることで調節でき、焼き網もスライドすることで火力調節できるとともに、丸焼きと焼き網での焼きを同時にすることもできる。
【００１９】図３及び図４に示す内火床８は穴に棒状のものを差し込んで持ち上げることで火床７より取り出して灰を処分できる。
【００２０】図１に示す串具２１の回転は、操作パネルのトグルスイッチ１４を動かすことで、正転と反転と停止を選択でき、操作パネルの２つのＤＣジャック１５に電池とＡＣアダプターを差し替えることで電源の選択と回転スピードを変えることができる。
【００２１】図５に示す串具２１は、串棒１２に肉固定爪１３を取り付けることで肉を任意の位置でけ固定できる。
【００２２】図２に示すベース本体２２と支持脚６、下部連結棒９はボルトでつながっていて、串具２１と火床７、内火床８は固定されていないので、持ち運び時は分解してコンパクトに収納することが出来る。
【００２３】図２に示す超低速モーター１９とは１分間に４回転以下で回転するもので、例えばＤＣギヤードモーターなどである。
【各部の名称】
【００２４】１、トッププレート小              ２、トッププレート大
３、連結棒                        ４、串支持ＢＫＴ
５、駆動ＢＯＸ                    ６、支持脚
７、火床                          ８、内火床
９、下部連結棒                  １０、ベース板
１１、火床取手                  １２、串棒
１３、肉固定爪                  １４、トグルスイッチ
１５、ＤＣジャック              １６、ショートプラグとジャック
１７、電池ホルダー              １８、シャフトジョイント
１９、超低速モーター            ２０、軸受
２１、串具                      ２２、ベース本体
２３、駆動部                    ２４、駆動装置
【図１】
0003203820.tif 000003
【図２】
0003203820.tif 000004
【図３】
0003203820.tif 000005
【図４】
0003203820.tif 000006
【図５】
0003203820.tif 000007
【手続補正書】
【提出日】平成28年1月29日(2016.1.29)
【手続補正１】
【補正対象書類名】実用新案登録請求の範囲
【補正対象項目名】請求項３
【補正方法】変更
【補正の内容】
【請求項３】
前記駆動部は四角い金属製のボックス内部に片面がトグルスイッチと３つのＤＣジャックのついた操作パネルと、反対側の内面に前記超低速モーターが取り付けられており、前記超低速モーターと２つの前記ＤＣジャックが内部で直列に配線されており、さらに前記トグルスイッチにも正転反転可能に配線されている、前記超低速モーターから出ている回転軸には前記４つ脚型の軸受がシャフトジョイントでつながれていることを特徴とする請求項２に記載の自動回転丸焼きグリル。